(57)【要約】  【課題】  套装枠の基枠に対する止着状態を解いた後も、該套装枠を高所位置にして保持し、地上に下ろすことなく次段の作業を行える。  【解決手段】  基盤２の両側に側板３，３を相対設して構成した基枠１を前記基盤２において止着して作業場の高所に吊設する。該基枠１に套装枠９を着脱自在に止着して基枠１の前記基盤２に設置した適宜数のリール７を套装し、該リール７に巻取る、エアーホースや電源コード等の被巻取り物の導出口２０を前記套装枠９に設ける。また、基枠１の前記側板３，３間に介在させた前記套装枠９を、前記基枠１に、該套装枠９の下端両側に突設した止着部片１７を前記側板３の下面に重ね合わせてボルト１２締めして互いに組付ける。そして、前記側板３の対向面側の下端に受止縁を設け、該受止縁の直上に位置する掛止片を前記套装枠９の、前記リール７を介して相対する側板３の上部に突設する。【特許請求の範囲】
【請求項１】
基盤の両側に側板を相対設して構成した基枠を前記基盤において止着して作業場の高所に吊設し、該基枠に套装枠を着脱自在に止着して基枠の前記基盤に設置した適宜数のリールを套装し、該リールに巻取る、エアーホースや電源コード等の被巻取り物の導出口を前記套装枠に設けた高所設置用リールボックスにおいて、基枠の前記側板間に介在させた前記套装枠を、前記基枠に、該套装枠の下端両側に突設した止着部片を前記側板の下面に重ね合わせてボルト締めして互いに組付けると共に、前記側板の対向面側の下端に受止縁を設け、該受止縁の直上に位置する掛止片を前記套装枠の、前記リールを介して相対する側板の上部に突設した、高所設置用リールボックス。
【発明の詳細な説明】
【技術分野】
【０００１】
本発明は、整備工場や板金工場等の高所に設置して複数のリールを収納するために用いる高所設置用リールボックスに関するものである。
【背景技術】
【０００２】
基盤の両側に側板を相対設して構成した基枠を前記基盤において止着して作業場の高所に吊設し、該基枠に套装枠を着脱自在に止着して基枠の前記基盤に設置した適宜数のリールを套装し、該リールに巻取るエアーホースや電源コード等の被巻取り物の導出口を前記套装枠に設けた構造のものがある。
【発明の開示】
【発明が解決しようとする課題】
【０００３】
リールに巻取る電源コードなどの被巻取り物の損傷のための当該被巻取り物の交換やその他保守、点検等の原因で套装枠を取り外してリールを露出しなければならないとき、従来の構造は、套装枠を基枠から取り外すと、該套装枠の保持手段がないので、套装枠を高所位置から地上に下ろし、所定の作業後、套装枠を高所位置まで持ち上げるという作業を必要とし、その作業が煩雑である。
【０００４】
本発明は、套装枠の基枠に対する止着状態を解いた後も該套装枠を高所位置にして保持し、地上に下ろすことなく次段の作業を行うことのできるリールボックスを提供することを目的として創案したものである。
【課題を解決するための手段】
【０００５】
基盤の両側に側板を相対設して構成した基枠を前記基盤において止着して作業場の高所に吊設し、該基枠に套装枠を着脱自在に止着して基枠の前記基盤に設置した適宜数のリールを套装し、該リールに巻取る、エアーホースや電源コード等の被巻取り物の導出口を前記套装枠に設けた高所設置用リールボックスにおいて、基枠の前記側板間に介在させた前記套装枠を、前記基枠に、該套装枠の下端両側に突設した止着部片を前記側板の下面に重ね合わせてボルト締めして互いに組付けると共に、前記側板の対向面側の下端に受止縁を設け、該受止縁の直上に位置する掛止片を前記套装枠の、前記リールを介して相対する側板の上部に突設した、構成とするのである。
【発明の効果】
【０００６】
本発明によれば、ボルト締めを緩めて套装枠をリールを設置した基枠から分離したとき、套装枠の側板の上部に突設した掛止片が基枠の側板の下端に設けた受止縁に掛止して該套装枠を基枠に掛止させておくことができ、この掛止状態で前記基枠の基盤に設置したリールは露出状態におかれるから、リールの保守、点検その他必要な作業を行うことができ、使用勝手上良好なリールボックスを提供できる。
【実施例】
【０００７】
図面は本発明に係る高所設置用リールボックスの一実施例を示し、図１は一部縦断面図、図２は一部欠截側面図、図３は開放状態の一部縦断面図、図４は開放状態を示す側面図、図５は斜視図である。
【０００８】
図中、１は基枠で、基枠１は、基盤２と該基盤２の両側に相対設した側板３，３とで構成し、基盤２の相対する両端に相対設した部片２ａ，２ａに前記側板３の上端を折り返して設けた上端部片３ａを重ね合わせ、これらに側板３側から組付けボルト４を貫通させて前記部片２ａより突出するボルト先端に組付けナット５を螺合して形成したもので、作業所（工場）の高所に、該高所の下面（天井面など）に基盤２において重ね合わせ、固定手段６によって止着して吊設し、基盤２の前記側板３，３間にリール７，７，７を介して並設したものである。
【０００９】
なお、実施例のリール７には電源コード８を巻回収納するようにしてあるが、リール７の個数は自由であり、該リールに巻回、収納する被巻取り物は、電源コードに限らず、接続用コード、スイッチ用コード或いは流体路を構成する、例えば、エアーホースでも差し支えはない。
【００１０】
そして、実施例は、前記基盤２に套装枠９を着脱自在に組付け、電源コード８を巻回、収納する前記リール７を套装するようにしたものである。
【００１１】
套装枠９は、方形状の主体板１０ａの四周に周壁部片１０ｂを設けて、基枠１の前記基盤２の直下に位置するように配する中央盤１０に、下部側をしぼり込むように構成した前後の構成枠１１，１１´の平面視ほぼコ形の下端部１１ａ，１１´ａを前記周壁部片１０ｂの平面視コ形部内側に係合し、該下端部１１ａ，１１´ａと周壁部片１０ｂをボルト１２とナット１３とで互いに締付ける一方、前記構成枠１１，１１´の上端部と該上端部間にわたした接続片１４を接続ボルト１５とこれに螺合した接続ナット１６によって互いに接続して上面および側面中央部をそれぞれ開口状とした箱形体で構成したもので、前記構成枠１１，１１´で構成する中央部開口状の側板９ａを基枠１側の前記側板３の内側に配するようにして基枠１に係合して前記リール７を被套装状態におき、中央盤１０の前記側板９ａ，９ａより突出する端部分を止着部片１７と成して、基枠１の前記側板３の下端を折り返して設けた下端部片３ｂに重ね合わせ、下端部片３ｂ上に固定したナット材１８に前記止着部片１７に設けた貫通孔１９を通じて締付けボルト２０の先端を螺合締付けることにより前記基枠１に着脱自在に止着したものである。
【００１２】
そして、前記接続片１４の一方は套装枠９を構成する一方の構成枠１１に、他の一方は套装枠９を構成する他の一方の構成枠１１´にそれぞれ接続ボルト１５，１５´と接続ナット１６，１６´で接続してあるが、一方の構成枠１１´側に存するその一方の接続ボルト１５は頭部側を構成枠１１より外方に、すなわち、套装枠９の側板９ａより外方に突出させて基枠１の前記側板３の下端部片３ｂの直上に位置させて下端部片３ｂを受止縁としてこれに掛止する掛止片を構成する。すなわち、接続ボルト１５は、接続片１４と一方の構成枠１１（套装枠９の側板９ａの後部側）を挟持する前記接続ナット１６と緩み止めナット１６Ａに螺合して構成枠１１の側板部すなわち套装枠９の側板９ａより突出して受止縁を構成する下端部片３ｂの直上に存するように配してある。
【００１３】
もっとも、接続片１４の他の一方の接続ボルト１５´，１５´も同様に接続ナット１６´，１６´と緩み止めナットを用いるようにして一方の側板９ａより突出するように配し、これを基枠１の側板３の下端部片３ｂに掛止する掛止片として構成させても良い。
【００１４】
なお、図中、２１は、套装枠９の中央盤１０に設けた導出口で、前記電源コード８はこの導出口２１を通じてボックス外部に導出される
また、実施形態は、套装枠９の側板９ａに（中央板１０に一対の構成枠１１，１１´を組付けることによって）窓口を形成し、套装枠９を基枠１の側板３，３間に係合することによって側板３によって該窓口を閉塞するようにしてあるが、これは重量の低減と材料コストの低減を図るためである。
【００１５】
しかして、套装枠９の中央盤１０の４隅に存する締付けボルト２０を緩めてナット材１８より離脱させると、套装枠９は基枠１に対して自由状態となり、手先で支持させることによってその重量（自重）を利用して漸次降下させることができ、掛止片である一方側の一対のボルト１５，１５（の頭部）が受止縁を構成する前記下端部片３ｂ上に位置したときに手先による套装枠９の支持を中止すると、掛止片（ボルト１５とこれに螺合した緩み止めナット１６Ａで構成する）が受止縁を構成する下端部片３ｂに掛止し、套装枠９は基枠１の側板３に図４で示すように吊下され、リール７の保守、点検などの必要な作業を行える状態になるのである。
【図面の簡単な説明】
【００１６】
【図１】一部縦断面図。
【図２】一部欠截側面図。
【図３】開放状態の一部縦断面図。
【図４】開放状態を示す側面図。
【図５】斜視図。
【符号の説明】
【００１７】
１      基枠
２      基盤
３      側板
７      リール
９      套装枠
１７    止着部片
２１    導出口
【図１】
2005053686.tif 000002
【図２】
2005053686.tif 000003
【図３】
2005053686.tif 000004
【図４】
2005053686.tif 000005
【図５】
2005053686.tif 000006